(57)【要約】【課題】現像ローラの持つ磁力で引き寄せられる現像剤のような重量のある粉体を、規定領域で定量的採取し、測定時間をかけずに汲み上げ量測定し、バラツキを少なくし精度向上を図り得る現像剤汲み上げ量測定装置を提供する。【解決手段】吸引ノズル３０１とフィルター３０２及び網３０３とホルダ３０４と現像剤貯蔵部３０５とを有する現像剤採取ユニット３００と、真空ポンプ等の吸引ポンプ３０６とを備え、２成分現像ローラ１０１上の磁力を受ける現像剤の粉体を前記現像剤採取ユニット３００で吸引採取し、該現像剤採取ユニット３００を取り外して計量器３０７により重量測定し、単位面積当たりの汲み上げ測定を行うよう構成する。【選択図】　　　　図１
2004078046.tif 000002
【特許請求の範囲】
【請求項１】
吸引ノズルとフィルターと現像剤貯蔵部とを有する現像剤採取ユニットと、吸引ポンプとを備え、２成分現像ローラ上の磁力を受ける現像剤の粉体を前記現像剤採取ユニットで吸引採取し、該現像剤採取ユニットを取り外して計量器により重量測定し、単位面積当たりの汲み上げ測定を行うよう構成したことを特徴とする現像剤汲み上げ量測定装置。
【請求項２】
現像剤の逆流防止として現像剤貯蔵部に現像剤溜まり溝を設けた請求項１記載の現像剤汲み上げ量測定装置。
【請求項３】
吸引ノズル及び現像剤貯蔵部を屈曲構造とした請求項１又は２記載の現像剤汲み上げ量測定装置。
【請求項４】
吸引ノズル外周部にノズル空気の強制吹き付け用ブローノズルを設けた請求項１〜３いずれかに記載の現像剤汲み上げ量測定装置。
【請求項５】
単位面当りの現像剤採取面積を規制する広域Ｒ面押し角型仕切機能を有する請求項１〜４いずれかに記載の現像剤汲み上げ量測定装置。
【請求項６】
吸引ノズル先端と現像ローラとの間の微小隙間を一定に保持しつつ吸引ノズルを移動させる定隙間吸引移動ユニットを有する請求項１〜５いずれかに記載の現像剤汲み上げ量測定装置。
【発明の詳細な説明】
【０００１】
【発明の属する技術分野】
本発明は、電子写真、複写機、プリンタ、ＦＡＸ等の現像装置の２成分現像ユニットにおける現像剤汲み上げ量測定装置に関するものである。
【０００２】
【従来の技術】
図７は現像装置全体の構成図であり、１０１は現像ローラ、１０２は現像ドクタを示し、又、その中の現像廻りの構成図を示している。
【０００３】
現像ローラ１０１の持つ磁力で引き寄せられる現像剤のような粉体を単位面積あたり採取する従来技術としては、Ｍａｇ採取法がある。
【０００４】
図８（Ａ），（Ｂ）は従来の現像剤汲み上げ量測定装置を示しており、薄肉角型仕切枠２０３とＭａｇ２０１と薬包紙２０２の組み合わせを示したものである。この場合、現像ローラ１０１の表面に薄肉角型仕切枠２０３を現像ローラ１０１のＲ面に沿わせてセットする。そして角型のＭａｇ２０１を薬包紙２０２で包み、それを現像ローラ１０１にセットされた薄肉角型仕切枠２０３の中に装着し、該薄肉角型仕切枠２０３内の現像剤をＭａｇ２０１に引き寄せる。このままＭａｇ２０１を薄肉角型仕切枠２０３から取り出し、計量器（図示せず）に乗せ、計量する。
【０００５】
【発明が解決しようとする課題】
しかしながら、前述の如き従来技術としてのＭａｇ採取法は、安定して計量ができないという欠点を有していた。
【０００６】
即ち、従来技術としての角型のＭａｇ２０１と薄肉角型仕切枠２０３による採取法では、薄肉角型仕切枠２０３内の現像剤を一回の採取で全部採り切ることは不可能であり、数回の繰り返しが必要となる一方、測定段取りで薄肉角型仕切枠２０３のセット位置のズレや押し付け面の浮き及び薄肉角型仕切枠２０３の薄肉等に伴う枠外の現像剤の汲み上げや、薄肉角型仕切枠２０３内のコーナー付近の現像剤の採取が困難となることもあり、測定精度がばらつく。
【０００７】
このように、Ｍａｇ採取法は、区画内の採取に対し３〜４回汲み上げの繰り返しが必要であり測定時間がかかってしまう一方、現像ユニット組込み後の現像剤汲み上げ量の測定値が安定しないため、現像特性の定量化が難しい。
【０００８】
本発明は、斯かる実情に鑑み、現像ローラの持つ磁力で引き寄せられる現像剤のような重量のある粉体を、規定領域で定量的採取し、測定時間をかけずに汲み上げ量測定し、バラツキを少なくし精度向上を図り得る現像剤汲み上げ量測定装置を提供しようとするものである。
【０００９】
【課題を解決するための手段】
上記課題を解決するために、請求項１記載の発明では、吸引ノズルとフィルターと現像剤貯蔵部とを有する現像剤採取ユニットと、吸引ポンプとを備え、２成分現像ローラ上の磁力を受ける現像剤の粉体を前記現像剤採取ユニットで吸引採取し、該現像剤採取ユニットを取り外して計量器により重量測定し、単位面積当たりの汲み上げ測定を行うよう構成した現像剤汲み上げ量測定装置を最も主要な特徴とする。
【００１０】
請求項２記載の発明では、現像剤の逆流防止として現像剤貯蔵部に現像剤溜まり溝を設けた請求項１記載の現像剤汲み上げ量測定装置を主要な特徴とする。
【００１１】
請求項３記載の発明では、吸引ノズル及び現像剤貯蔵部を屈曲構造とした請求項１又は２記載の現像剤汲み上げ量測定装置を主要な特徴とする。
【００１２】
請求項４記載の発明では、吸引ノズル外周部にノズル空気の強制吹き付け用ブローノズルを設けた請求項１〜３いずれかに記載の現像剤汲み上げ量測定装置を主要な特徴とする。
【００１３】
請求項５記載の発明では、単位面当りの現像剤採取面積を規制する広域Ｒ面押し角型仕切機能を有する請求項１〜４いずれかに記載の現像剤汲み上げ量測定装置を主要な特徴とする。
【００１４】
請求項６記載の発明では、吸引ノズル先端と現像ローラとの間の微小隙間を一定に保持しつつ吸引ノズルを移動させる定隙間吸引移動ユニットを有する請求項１〜５いずれかに記載の現像剤汲み上げ量測定装置を主要な特徴とする。
【００１５】
【発明の実施の形態】
以下、本発明の実施の形態を図示例と共に説明する。
図１は本発明を実施する形態の一例であって、吸引ノズル３０１とフィルター３０２及び網３０３とホルダ３０４と現像剤貯蔵部３０５とを有する現像剤採取ユニット３００と、真空ポンプ等の吸引ポンプ３０６とを備え、２成分現像ローラ１０１上の磁力を受ける現像剤の粉体を前記現像剤採取ユニット３００で吸引採取し、該現像剤採取ユニット３００を取り外して計量器３０７により重量測定し、単位面積当たりの汲み上げ測定を行うよう構成したものである。
【００１６】
尚、吸引方式の場合、現像剤の吸引後に吸引ノズル３０１を引き離す際、現像剤が現像ローラ１０１上に残ってしまうが、これは吸引ノズル３０１の上方向から吸引した場合、一旦吸引されたものが取り外す瞬間に現像ローラ１０１の磁力でもって行かれてしまうためである（図３（Ａ），（Ｂ）参照）。
【００１７】
この課題に対し本図示例では、図２（Ａ）に示す如く、ホルダ３０４のノズル口周辺の傾斜に滞留している現像剤を一旦溜め込むための現像剤溜まり溝３０９を現像剤貯蔵部３０５に形成している。これにより図２（Ｂ）に示すように現像剤が現像剤溜まり溝３０９に溜め込まれ、戻されることは発生しない。
【００１８】
一方、現像剤の逆流防止として、図４に示す如く、前記現像剤採取ユニット３００の中途部を屈曲パイプ４０１のように曲げた構造にし、吸引ノズル３０１及び現像剤貯蔵部３０５で一旦採取することも可能である。これは現像剤の採取が対象物の上面から行なう場合に有効である。尚、この場合もフィルター３０２の接続面から分離が可能となっている。これにより一旦採取した現像剤は戻されることはない。
【００１９】
図５は前記吸引ノズル３０１の外周部にノズル空気の強制吹き付け用ブローノズル５０１を設けた現像剤採取ユニット３００を示しており、空気の巻き込みを向上させるようにしたものである。このメカニズムは、供給エア５０２を強制吹き付け用ブローノズル５０１に供給することで射出エア５０３が角型仕切３１１の内部に吹付けられ、現像ローラ１０１の表面と吸引ノズル３０１先端との間の隙間をぬって吸引経路に強制供給される形となっている。
【００２０】
前記角型仕切３１１は、単位面当りの現像剤採取面積を規制する薄型広域Ｒ面押し角型仕切であり、現像ローラ１０１のＲ面にあわした面幅のある形状になっている。又、前記角型仕切３１１の厚さについては、吸引ノズル３０１を現像ローラ１０１に接近させた時、ノズルの外側域から空気の巻き込みを容易にするため、本図示例においては吸引時の空気の流れを阻害する壁にならないように薄肉にし、およそ１．０［ｍｍ］以下にしている。
【００２１】
図６は吸引ノズル３０１先端と現像ローラ１０１との間の微小隙間６０５を一定に保持しつつ吸引ノズル３０１を移動させる定隙間吸引移動ユニットを示しており、これは、図６（Ａ）に示す如く、支持台６０３を角型仕切３１１上に設置し、該支持台６０３上にスライド案内６０２を介して固定板６０１をスライド自在に配設し、該固定板６０１に現像剤採取ユニット３００を取り付けてなる構成になっており、図６（Ｂ）に示す如く、吸引ノズル３０１を現像ローラ１０１の軸方向に吸引移動させることにより、微小隙間６０５を一定に保持しつつ現像剤の吸引が可能になる。前記微小隙間６０５としては０．１［ｍｍ］以下に設定することが望ましい。
【００２２】
尚、本発明の現像剤汲み上げ量測定装置は、上述の図示例にのみ限定されるものではなく、本発明の要旨を逸脱しない範囲内において種々変更を加え得ることは勿論である。
【００２３】
【発明の効果】
以上、説明したように本発明の現像剤汲み上げ量測定装置によれば、下記のような優れた効果を奏し得る。
【００２４】
（１）現像ローラの持つ磁力で引き寄せられる現像剤のような重量のある粉体を吸引により一定領域で採取することが可能となる。尚、引き際に起きる現像剤の逆流止めとして、ノズル内に貯蔵機能を設けることにより狙いの範囲の吸引採取が可能である。又、現像ローラの外周面の面に合ったＲ型仕切り枠により単位面積あたりの採取量が得られ、安定した汲み上げ量測定の定量化が可能になる。
【００２５】
（２）従来のＭａｇ採取法では、数回の採取の繰り返しや、その際のセット位置のズレ、そして押し付け面の浮き及び仕切り面積の薄肉等により発生する余剰剤の汲み上げや仕切り枠のコーナーに残る残量等の不具合が生じるのに対し、本発明では、セット性の改善及び採取の安定化による吸引のバラツキ低減により、測定精度向上並びに時間短縮が図れる。
【図面の簡単な説明】
【図１】本発明を実施する形態の一例の概要構成図である。
【図２】現像剤を一旦溜め込むための現像剤溜まり溝を現像剤貯蔵部に形成した例を表わす側断面図であって、（Ａ）は現像剤の吸引前の状態図、（Ｂ）は現像剤の吸引後の状態図である。
【図３】現像剤溜まり溝がない場合の吸引時の不具合を示す図であって、（Ａ）は現像剤採取ユニットの断面図、（Ｂ）は現像剤の吸引後に吸引ノズルを引き離す行程を表わす正面図及び平面図である。
【図４】現像剤採取ユニットの中途部を屈曲パイプのように曲げた構造にした例を表わす側断面図である。
【図５】吸引ノズルの外周部にノズル空気の強制吹き付け用ブローノズルを設けた現像剤採取ユニットを表わす側断面図である。
【図６】吸引ノズル先端と現像ローラとの間の微小隙間を一定に保持しつつ吸引ノズルを移動させる定隙間吸引移動ユニットを表わす図であって、（Ａ）は側面図、（Ｂ）は現像剤の吸引後に吸引ノズルを引き離す行程を表わす正面図及び平面図である。
【図７】現像装置の全体構成図である。
【図８】従来例を表わす図であって、（Ａ）は側面図、（Ｂ）は平面図及び正面図である。
【符号の説明】
１０１　現像ローラ
２０１　Ｍａｇ
２０２　薬包紙
２０３　薄肉角型仕切枠
３００　現像剤採取ユニット
３０１　吸引ノズル
３０２　フィルター
３０３　網
３０４　ホルダ
３０５　現像剤貯蔵部
３０６　吸引ポンプ
３０７　計量器
３０９　現像剤溜まり溝
３１１　角型仕切
４０１　屈曲パイプ
５０１　強制吹き付け用ブローノズル
５０２　供給エア
５０３　射出エア
６０１　固定板
６０２　スライド案内
６０３　支持台
６０５　微小隙間
【図１】
2004078046.tif 000003
【図２】
2004078046.tif 000004
【図３】
2004078046.tif 000005
【図４】
2004078046.tif 000006
【図５】
2004078046.tif 000007
【図６】
2004078046.tif 000008
【図７】
2004078046.tif 000009
【図８】
2004078046.tif 000010